Podtech/llm-jp-corpus-v4-ja_patent huggingface dataset:
(57)【要約】【課題】  聴覚が不自由な人と対面コミニュケーション時の話し言葉を音声認識してディスプレイ上に表示して対話を図る、および一人学習で話し言葉を書き言葉に視覚化することで言語技能の向上を図る。【解決手段】  登録している話者がマイクロホンで話し言葉を入力する。音声特徴抽出から音声認識・言語データベース内の音声認識機能で、単語・文音声を認識する。認識した話し言葉をテキストデータに変換し、ディスプレイ上に話し言葉を表示することで、聴覚が不自由な人と楽しみのある対面コミニュケーションと、自己の話し言葉をディスプレイ上で認識する言語技能向上の一人学習とができる話し言葉表示処理装置を設ける。【選択図】図１
2014174307.tif 000002
【特許請求の範囲】
【請求項１】
対話者または話者と漢字認識レベルを選択する手段と、話者が入力した音声を認識する手段と、音声認識した話し言葉を対話者または話者の漢字認識レベルに合わせた書き言葉に変換する手段と、および書き言葉をディスプレイ上に表示する手段とを備えたことを特徴とする話し言葉表示処理装置。
【請求項２】
前記対話者または話者と漢字認識レベルを選択する手段は、話者照合システムに登録している対話者、または話者の登録コードと、漢字認識レベルで書き言葉を表示するため、漢字習得基準に基づいて小学２年生以下、小学４年生以下、小学6年生以下、および中学生以下別の漢字レベルとを選択することを特徴とする請求項１記載の話し言葉表示処理装置。
【請求項３】
前記音声を認識する手段は、対話者または話者が、マイクロホンで入力した話し言葉を、音声認識・言語データベースの文音声認識機能で音声波形・特徴分析し、音声認識することを特徴とする請求項１記載の話し言葉表示処理装置。
【請求項４】
前記書き言葉に変換する手段は、音声認識した話し言葉の漢字を音声認識・言語データベースから認識している漢字レベルの漢字を抽出し、表示する書き言葉に構成し、テキストデータに変換することを特徴とする請求項１記載の話し言葉表示処理装置。
【請求項５】
前記ディスプレイ上に表示する手段は、テキストデータを対話者がディスプレイ上で容易に視覚確認する大きさを選択し表示すること、および表示文書を順次切替表示することを特徴とする請求項１記載の話し言葉表示処理装置。
【発明の詳細な説明】
【技術分野】
【０００１】
本発明は、聴覚が不自由な人、および話し言葉を学習する人が活用できる話し言葉表示処理装置に関するものである。
【背景技術】
【０００２】
聴覚が不自由な人と対話する時に筆談器を使用しているが、書く表現方法の思考と筆記に時間を取られて会話が途切れ、十分な対面コミニュケーションが取れなかった。
【０００３】
筆談器以外の方法として、会話等の音声を認識して言葉に変換・表示する聴力補助装置（特許文献１参照）が提供されているが、多くの機能を備えた装置であり、対面コミニュケーションには不便である。
【先行技術文献】
【特許文献】
【０００４】
【特許文献１】特開平９−２０６３２９号公報
【発明の概要】
【発明が解決しようとする課題】
【０００５】
この発明の課題は、従来技術では多くの機能を備えたな装置に依存するという問題点があり、取扱いが簡易で楽しく対面コミュニケーションを図れることが技術課題である。
【０００６】
本発明は、従来技術が有していた問題を解決するものであり、話者の話し言葉を書き言葉に変換表示することで、聴覚が不自由な人と楽しい対話コミニュケーションできること、および一人で話し言葉を学習することができる話し言葉表示処理装置を提供することを目的とする。
【課題を解決するための手段】
【０００７】
本発明は上記目的を達成するために対話者または話者と漢字認識レベルを選択する手段と、話者が発声した音声を認識する手段と、音声認識した話し言葉を対話者または話者の漢字認識レベルに合わせた書き言葉に変換する手段と、および書き言葉をディスプレイ上に表示する手段とを備えた話し言葉表示処理装置である。対話コミニュケーションと話し言葉を一人で学習することを可能としている。
【０００８】
前記対話者または話者と漢字認識レベルを選択する手段は、話者照合システムに登録している対話者、または話者の登録コードと、漢字認識レベルで書き言葉を表示するため、漢字習得基準に基づいて小学２年生以下、小学４年生以下、小学6年生以下、および中学生以下別の漢字レベルとを選択する。
【０００９】
音声を認識する手段は、対話者または話者が、マイクロホンで入力した話し言葉を、音声認識・言語データベースの文音声認識機能で音声波形・特徴分析し音声認識する。
【００１０】
書き言葉に変換する手段は、音声認識した話し言葉の漢字を音声認識・言語データベースから認識している漢字レベルの漢字を抽出し、表示する書き言葉に構成し、テキストデータに変換する。
【００１１】
ディスプレイ上に表示する手段は、テキストデータを対話者がディスプレイ上で容易に視覚確認する大きさを選択し表示すること、および表示文書を順次切替表示することを特徴とする。
【発明の効果】
【００１２】
上述したように本発明の話し言葉表示機は、聴覚が不自由な人が対話者の話し言葉を視覚でスムーズに取り入れることができ、楽しい対面コミニュケーション手段に活用できる話し言葉表示処理装置を提供できる。
【００１３】
また、自己発声の言葉を視覚で認識できるため、一人で学習して言語技能が向上するという効果を発揮するものである。
【図面の簡単な説明】
【００１４】
【図１】本発明による話し言葉表示処理装置の情報関連図である。
【発明を実施するための形態】
【００１５】
以下、本発明の実施の形態を図について説明する。
図１において、選択する手段は、対話者または話者の入力音声を認識するために話者照合システムに登録しているコードを選択すること、および書き言葉に表示する漢字認識レベルを決めることである。漢字認識レベルは、音声認識・言語データベース内で漢字習得基準に基づいて小学２年生以下、小学４年生以下、小学6年生以下、および中学生以下を設定している。認識する手段は、対話者または話者が、マイクロホンで話し言葉を入力し、Ａ／Ｄ変換、音声波形・特徴分析し、音声認識・言語データベースの文音声認識機能から話し言葉をで認識する。
【００１６】
認識した話し言葉の単語綴りから音読み、訓読み、送りかなの種別をし、選択した漢字認識レベルで表示するために音声認識・言語データベースから必要とする漢字を抽出して書き言葉を構成する。書き言葉をテキストデータに変換し、ディスプレイ上にテキストデータを対話者が確認できる大きさに表示すること、および表示文章を順次切替えることができる。このことで聴覚の不自由な人と楽しく対面コミニュケーションができる。および自己の話し言葉を視覚で認識できるため、一人で話し言葉を学習することにより言語技能の向上が図れる。
【図１】
2014174307.tif 000003
(57)【要約】      （修正有）【課題】遠隔地での動作履歴を取っても機密上難しくなく、さらに、従業員がインターネットのＷｅｂページの閲覧などで、業務に関係ない作業で生産性が著しく落ちることなく、パソコンや携帯端末の動作履歴を記録するシステムを、特別な装置を用意する必要なくして提供する。【解決手段】事業者が、遠隔地に動作履歴を記録する機能を有するサーバーやクラウド環境を提供し、遠隔からインターネットに接続されたパソコンや携帯端末などの機器の動作を記録する。【選択図】図１
2014174975.tif 000002
【特許請求の範囲】
【請求項１】
クラウド上のサーバーを使ったパソコンや携帯端末などの業務記録システム
【請求項２】
クラウド上のサーバーを使ったパソコンや携帯端末などの業務記録システムに対する課金のビジネスモデル
【発明の詳細な説明】
【技術分野】
【０００１】本発明は、クラウド上のサーバーを利用してインターネットに接続されたパソコンや携帯端末などの機器の動作記録を行うものである。
【背景技術】
【０００２】従来、パソコンや携帯端末の動作履歴を記録するには効果な特別な装置を用意する必要があった。また、遠隔地での動作履歴を取ると機密上難しい。さらに、ユーザーのインターネットのＷｅｂページの閲覧などで、業務に関係ない作業で生産性が著しく落ちる場合がある。
【発明の概要】
【発明が解決しようとする課題】
【０００３】しかし、パソコンや携帯端末などの動作履歴を記録するには効果な特別な装置を用意する必要があった。また、遠隔地での動作履歴を取ると機密上難しい。
【課題を解決するための手段】
【０００４】そこで、事業者が、遠隔地に動作履歴を記録する機能を有するサーバーやクラウド環境を提供し、遠隔からインターネットに接続されたパソコンや携帯端末などの機器の動作記録し、この課題を解決する。【０００５】また、事業者はインターネットに接続されたパソコンや携帯端末などの接続に対し、ユーザーに課金するビジネスモデルを有することもある。【０００６】また、事業者はユーザの機密を守るため、通信経路、または、記録機器上において暗号化を施すことがある。
【発明の効果】
【０００７】インターネットに接続されたパソコンや携帯端末などの機器の動作記録を行うものである。
【図面の簡単な説明】
【０００８】
【図１】検証システムの構成例を示す図である。
【産業上の利用可能性】
【０００８】本発明は、生産性に効果があるため、産業上の利用可能性を有する。
【図１】
2014174975.tif 000003
(57)【要約】      （修正有）【課題】読めない漢字、英単語を簡単に調べることを可能にするため、電子辞書にカメラを設けた、カメラつき電子辞書を提供する。【解決手段】電子辞書１にカメラ２とカメラ位置目安ポイントライト３を設け、タッチペンを装備したカメラつき電子辞書。電子辞書にカメラが設けられているので、読めない漢字および英単語があればその部分を画面に映し出し、タッチペンにて範囲を選定して検索する。【選択図】図１
2014174974.tif 000002
【特許請求の範囲】
【請求項１】
電子辞書（１）にカメラ（２）とカメラ位置目安ポイントライト（３）を設けタッチペン（４）を装備した、カメラつき電子辞書。
【発明の詳細な説明】
【技術分野】
【０００１】この発明は、電子辞書にカメラを設けたカメラつき電子辞書に関するものである。
【背景技術】
【０００２】従来、電子辞書にはカメラが内臓されていなかった。
【先行技術文献】
【特許文献】
【０００３】
【特許文献１】
【発明の概要】
【発明が解決しようとする課題】
【０００４】これは、次のような欠点があった。
イ、読めない漢字は漢字源による部品読、部首画数で調べるか更には直接手書き入力などに依っていたため複雑な漢字には困ることが多かった。
ロ、英単語などの意味を調べるにはスペルの入力が必要となり手間と誤入力などにより困ることが多かった。
本発明は、以上のような欠点をなくするためになされたものである。
【課題を解決するための手段】
【０００５】電子辞書（１）にカメラ（２）とカメラ位置目安ポイントライト（３）を設け、タッチペン（４）を装備する。
本発明は、以上の構成よりなるカメラつき電子辞書である。
【発明の効果】
【０００６】電子辞書にカメラが設けられているので、読めない漢字および英単語があればその部分を画面に映し出し、タッチペンにて範囲を選定して検索するものである。
【図面の簡単な説明】
【０００７】
【図１】本説明の斜視図である。
【図２】本説明図の斜視図（一部断面図）である。
【図３】本説明図の側面図である。
【発明を実施するための形態】
【０００８】以下、本発明を実施するための形態について説明する。
イ、電子辞書の画面外側（蓋側外面）端面にカメラを設ける。
ロ、映し出す文字位置の特定を容易に行うため、カメラ上部にカメラ位置目安ポイントライトを設ける。
ハ、タッチペンを装備する。
本発明は、以上のような構成である。
これを使用するときは、画面に読めない漢字又は英単語を映し出し、タッチペンにて    範囲を選定して検索すればよい。
【符号の説明】
【０００９】１    電子辞書
２    カメラ
３    カメラ位置目安ポイントライト
４    タッチペン
【図１】
2014174974.tif 000003
【図２】
2014174974.tif 000004
【図３】
2014174974.tif 000005
(57)【要約】      （修正有）【課題】使用済み核燃料等の高放射性廃棄物の長期保管する方法を提供する。【解決手段】使用済み核燃料等の高放射性廃棄物（ウラン、プルトニウム）を耐食性金属と固溶化してブロックとし、自然通風・自然冷却のために地上に展開して貯蔵する。【選択図】図１
2014174158.tif 000002
【特許請求の範囲】
【請求項１】
使用済み核燃料等の高放射性廃棄物を耐食性クローム系鉄合金の中に均一に溶かし込んで固溶体とし、鋳込む形状は保管方法を考慮して枕木のような長方形とし、自然通風冷却と常時監視のため地上に展開して保管する方法。
【発明の詳細な説明】
【技術分野】
【０００１】  本発明は、高放射性廃棄物の長期保管に関する。
【背景技術】
【０００２】従来の高放射性廃棄物の長期保管には、主として地中深くの空間に保管する方法がある。この地中式は一見合理的と思えるが、地球の年齢約４６億年に比較して、ウラン２３８の半減期：約４４億６８００万年、ウラン２３５の半減期：約７億３８０万年、プルトニウムの半減期：２万４０００年を想像するとき、いかにもその場限りの安易な方法である。とりあえず人目に触れない所に押し込んでおこうという方法は、科学的とは云えない。
［日本学術会議  放射性廃棄物処分案］（２０１２．９．１１）によれば、「最終処分は、地下３００ｍ以上の深さの地層に安全確実に埋設する形で行う」としている。
ガラス固体化といってガラスのかたまりの中に閉じ込める案。昔々のようにドラム缶に入れておく案等色々あるが、超長期保管には、問題がある。
昔行われた海洋投棄は禁止になり、苦し紛れに宇宙投棄案まで出てきている。
【発明の概要】
【発明が解決しようとする課題】
【０００３】地下３００ｍ以上の深い所に一度埋設してしまえば、その後の経年変化を常時監視するのは、容易ではない。地下の狭い空間に埋設した場合、崩壊熱の放散・伝熱をどのように計算しているのか、むずかしい問題である。周囲の岩盤の岩石は長期にわたる放射線に晒され、次第に上昇する温度により、その結晶水が失われ、脆くなり崩落するのは容易に想像される。
今後数億年間に、海洋プレートの移動と大陸プレートの衝突は今後の大きな地殻変動をひきおこす。現在の地形が現状を維持するのは、わずか数十万年程度であろう。
【課題を解決するための手段】
【０００４】常時監視の体制にするには、高放射性廃棄物を地上に展開して貯蔵するのが一番確かである。ＧＰＳの標識をつけて、水平方向・高さ方向の変位を人工衛星により常時チェックするのが、望ましい。そうすれば地殻変動も事前に察知できると思はれる。将来を見越して、予め保管場所を変更することも可能である。これらを可能にするには
＊１．耐食金属のブロックに放射性ウラン・プルトニウムを合金として含有させる。
＊２．この合金のブロックは枕木のような形状として、運搬、積み重ねが容易にできるよ      うにする。ピラミッドではないので、立方形ではない。
＊３  保管場所の条件として、広い平面の大気解放による、自然通風・冷却が望ましい。
＊４  当然のことながら、マグマの活動する火山帯は長期保管場所にはならない。
＊５  保管場所の一例として、採掘を止めた露天掘りの鉱山跡地をあげることができる。      世界中では、深さ３００ｍ直径１０数Ｋｍのすり鉢状の窪地もあるらしい。ただし      排水の良好なことが条件である。
＊６  金属ブロックなので、塩素イオンの影響をもろに受ける。海または昔海であった場      所の近くは避けるべきである。
＊７  なるべく人里離れた場所が望ましい。【０００５】耐食性金属の選定
次の課題は耐食性金属に何を選定するかの問題である。オーステナイト系（体心立方格子）のステンレス鋼がまず挙げられるが、多分高価のため後回しにされるであろう。次はいわゆる１３クロム系のステンレス鋼、または新しい新日鉄住金のフェライト系ステンレス［ＮＳＳＣ  ＰＤＸ］（成分系：１７Ｃｒ−０．２Ｔｉ−ＵＬＣＮ）などが挙げられる。
このフェライト系ステンレス鋼はウラン・プルトニウムなどを固溶体として受け入れる件については未知数だが、その優秀な製鋼技術により将来有望と思われる。
いわゆる１３クロムのマルテンサイト系（面心立方格子）ステンレス鋼にはＳＵＳ４２０Ｊ２（成分系：１３Ｃｒ−０．３Ｃ−１．０Ｍｎ−１．０Ｓｉ）がある。
鉄骨スクラップを使うと、Ｍｎ成分が増加するので、そのＭｎの少ない鉄鋼を使用して、代わりにウラン＋プルトニウムを１％程度固溶体として結晶に取り込む方法がある。
ホウ素を含有すると遮蔽効果があるので、テストしてみる価値がある。
【発明の効果】
【０００６】    本発明は、使用済み核燃料等の高放射性廃棄物の超長期保管のひとつの方法である。
【発明を実施するための形態】
【０００７】    Ｍｎの少ない鉄鋼を溶融し、１３Ｃｒと高放射性ウラン＋プルトニウム（高比重）を均一に溶かし込んで充分に撹拌する。
【０００８】    枕木のような形状のブロックに鋳込む。冷却時に固溶体となるようにすることが、重要である。
【０００９】    サバンナのような乾燥した平地に展開して保管する。
露天掘りの鉱山跡地のようなすり鉢状の窪地に平面的に展開して保管する。（ただし排水に留意する）
人工衛星から保管状況を常時監視するシステムを採用する。大規模な地殻変動が予想されるときは、早めに安全な場所に移動する。
保管場所に海水の影響がないように、万全の配慮をする。
【産業上の利用の可能性】
【００１０】    本発明は、原子爆弾並びに原子力発電核燃料の後始末という、難問に対するひとつの解決方法となる。
【図面の簡単な説明】
【００１１】
【図１】金属ブロック地上配置図
【図１】
2014174158.tif 000003
(57)【要約】      （修正有）【課題】スマートフォンの画面を拡大して見ることが可能なスマートフォンホールダーを提供する。【解決手段】スマートフォンホルダーの四角のうちの一か所に回転できるよう取り付けたスマートフォン画面拡大機能付きスマートフォンホルダーであって、スマートフォンホルダーにスマートフォンを装着し、スマートフォンホルダーとシートレンズを取り付けたシートレンズフレームの間に取り付けた伸縮シャフトの伸縮と伸縮シャフト取り付け箇所を回転させることにより、シートレンズを取り付けたシートレンズフレームをスマートフォン画面上で上下させ、スマートフォンの画面を倍率を調整し拡大して見ることができる。【選択図】図１
2014078922.tif 000002
【特許請求の範囲】
【請求項１】
シートレンズをシートレンズフレームに取り付け（貼って）、シートレンズフレームの四角のうちの一か所に伸縮シャフト（テレスコピックパイプ）の一端を回転できるよう取り付け、伸縮シャフト（テレスコピックパイプ）のもう一端は、伸縮シャフト（テレスコピックパイプ）を縮めたときにシートレンズフレームとスマートフォンホルダーが重なるよう、スマートフォンホルダーの四角のうちの一か所に回転できるよう取り付けた、スマートフォン画面拡大機能付きスマートフォンホルダー。
【発明の詳細な説明】
【技術分野】
【０００１】  本発明は、スマートフォンの画面を拡大して見ることができる用具に関するものである。
【発明の概要】
【発明が解決しようとする課題】
【０００２】  スマートフォンの画面は小さく、文字など見づらい。
【課題を解決するための手段】
【０００３】  シートレンズをシートレンズフレームに取り付ける（貼る）。【０００４】  シートレンズフレームの四角のうちの一か所に伸縮シャフト（テレスコピックパイプ）の一端を回転できるよう取り付ける。【０００５】  伸縮シャフト（テレスコピックパイプ）のもう一端は、伸縮シャフト（テレスコピックパイプ）を縮めたときにシートレンズフレームとスマートフォンホルダーが重なるよう、スマートフォンホルダーの四角のうちの一か所に回転できるよう取り付ける。
【発明の効果】
【０００６】  本発明は、スマートフォンをスマートフォンホルダーに装着し、スマートフォンホルダーとシートレンズフレームの間に取り付けた伸縮シャフト（テレスコピックパイプ）の伸縮と伸縮シャフト取り付け箇所を回転させることにより、シートレンズを取り付けたシートレンズフレームを、スマートフォン画面上方を上下させ、スマートフォンの画面を、倍率を調整し拡大して見ることができる。
【図面の簡単な説明】
【０００７】
【図１】  本発明の斜視図
【図２】  本発明の側面図
【発明を実施するための形態】
【０００８】  シートレンズをシートレンズフレームに取り付け（貼って）、シートレンズフレームの四角のうちの一か所に伸縮シャフト（テレスコピックパイプ）の一端を回転できるよう取り付け、伸縮シャフト（テレスコピックパイプ）のもう一端は、伸縮シャフト（テレスコピックパイプ）を縮めたときにシートレンズフレームとスマートフォンホルダーが重なるよう、スマートフォンホルダーの四角のうちの一か所に回転できるよう取り付ける。
【実施例】
【０００９】  以下、添付図面に従って実施例を説明する。スマートフォンホルダー４にスマートフォンを装着する。スマートフォンホルダー４とシートレンズ１を取り付けたシートレンズフレーム２の間に取り付けた伸縮シャフト（テレスコピックパイプ）３の伸縮と伸縮シャフト取り付け箇所を回転させることにより、シートレンズ１を取り付けたシートレンズフレーム２を、スマートフォン画面上方を上下させ、スマートフォンの画面を、倍率を調整し拡大して見ることができる。
使用しないときは、伸縮シャフト（テレスコピックパイプ）３を縮め、伸縮シャフト取り付け箇所を回転させることにより、シートレンズフレーム２とスマートフォンホルダー４を重ね合わせ、一体とすることができる。
【産業上の利用可能性】
【００１０】  スマートフォンの画面は小さく、文字など見づらい。文字などを大きくするためピンチアウトすると画面に表示される範囲が狭くなる。本発明のスマートフォン画面拡大機能付きスマートフォンホルダーを用いれば、画面に表示される範囲が狭くなることなく、スマートフォンの画面を、倍率を調整し拡大して見ることができる。
【符号の説明】
【００１１】１  シートレンズ
２  シートレンズフレーム
３  伸縮シャフト（テレスコピックパイプ）
４  スマートフォンホルダー
【図１】
2014078922.tif 000003
【図２】
2014078922.tif 000004
(57)【要約】【課題】ノートパソコンを使うとき使いやすいように上下できパソコンの高さが調整できる台を提供する【解決手段】ノートパソコン本体（１）を、上下できる専用台（２）にのせ、レバー（３）をまわし高さ調整できる台を特徴とする。【選択図】図２
2014078207.tif 000002
【特許請求の範囲】
【請求項１】
ノートパソコン本体（１）を、上下できる専用台（２）にのせレバー（３）をまわすことにより高さ調整できる台。
【発明の詳細な説明】
【技術分野】
【０００１】  この発明はノートパソコンを使う時パソコンの高さを調整できる台に関するものである
【背景技術】
【０００２】  ノートパソコンの高さ調整できる台はないと思う
【先行技術文献】
【特許文献】
【０００３】
【特許文献１】
【発明の概要】
【発明が解決しようとする課題】
【０００４】  これは次のような欠点があった。
従来ノートパソコンを使っている人それぞれ体格の差がありパソコンを使っている人によっては姿勢が悪く疲れる。本発明は、以上のような欠点をなくすためのものです。
【課題を解決するための手段】
【０００５】ノートパソコン本体（１）専用台（２）上下調整用のレバー（３）を設ける。本発明は、以上の構成により、レバーをまわすことにより専用台が上下しノートパソコンの高さが調整できる専用台です。
【発明の効果】
【０００６】ノートパソコンを使う時、高さ調整ができるパソコン専用台を使えば体にあった姿勢で使うことができるので疲れにくくパソコンが使いやすい。
【図面の簡単な説明】
【０００７】
【図１】本発明の側面図である
【図２】本発明の高さ調整の上下部の側面図である
【発明を実施するための形態】
【０００８】以下、本発明を実施するための形態について説明します。ノートパソコン専用台の上にパソコンを置き使う人の使いやすい高さにレバーで上下させ、高さ調整し体にあった姿勢でパソコンを使うことができる。
【特許の説明】
【０００９】１、ノートパソコン本体
２、高さ調整（上下）できる台
３、上下用レバー
【図１】
2014078207.tif 000003
【図２】
2014078207.tif 000004
(57)【要約】【課題】津波情報の発令時において、避難塔や高層建築物、シェルターなどの避難場所及び避難場所への誘導において、津波が到達する危険性（到達時間、津波高）がある場合に避難場所が適正かわかりやすく注意喚起するものがない。【解決手段】最も信頼できる全国瞬時警報システム（Jアラート）を無線をはじめ、インターネット回線や専用回線を利用して入手し、CPUにて当該地域の津波情報を解析、その結果を表示板やライトにて津波が避難場所に到達するかを表示する。【選択図】図１
2014071767.tif 000002
【特許請求の範囲】
【請求項１】
当該地域の被災予測と海抜から津波の危険があるかを判断し、危険の度合いを表示装置にて表示する。
【発明の詳細な説明】
【技術分野】
【０００１】
津波情報の発令時において、避難塔や高層建築物、シェルターなどの避難場所及び避難場所への誘導において、津波が到達する危険性（到達時間、津波高）がある場合に避難場所が適正かわかりやすく注意喚起するものがない。
【背景技術】
【０００２】
全国瞬時警報システム（Jアラート）
【発明の概要】
【発明が解決しようとする課題】
【０００３】
津波情報の発令時において、避難塔や高層建築物、シェルターなどの避難場所及び避難場所への誘導において、津波が到達する危険性（到達時間、津波高）がある場合に避難場所が適正かわかりやすく注意喚起するものがない。
【課題を解決するための手段】
【０００４】
最も信頼できる全国瞬時警報システム（Jアラート）を無線等から入手し、当該地域の津波情報を解析、その結果を表示板やライトにて避難場所に津波が到達するかを表示する。
【発明の効果】
【０００５】
警報システムの作動時、避難者への適正な避難場所の指示及び誘導が行える。
【図面の簡単な説明】
【０００６】
【図１】被災時にも確実に動作するため、電源はAC100V、ソーラーパネル、蓄電池の３種類を用意する。情報取得装置にて、無線をはじめ、インターネット回線や専用回線を利用し、消防庁の全国瞬時警報システム（Jアラート）の情報を入手する。CPUにて、当該地域の被災予測と海抜を勘案して情報の解析を行い、津波が到達するかを判断する。危険の度合いを表示装置にて表示する。
【図２】沿岸部の避難塔や高層の建物の上に設置することを想定している。津波情報が発信された場合に各装置で受信し、当該地域の海抜に合わせて危険度合いを表示する。図では安全な場所を「青」表示。危険な場所を「赤」表示。注意する場合は「黄」表示を行っている。
【産業上の利用可能性】
【０００７】
全国瞬時警報システム（Jアラート）の目的に合致する事項についても適用可能とする。
【図１】
2014071767.tif 000003
【図２】
2014071767.tif 000004
(57)【要約】【課題】セラミックファイバー断熱材の表面熱輻射率が低いため、高温加熱に不利である、しかし、セラミックファイバーの強度が低いため、表面に高温熱輻射塗料を塗装することができない。塗装をしても熱サイクルに耐えず、塗装膜が剥離してしまう。【解決手段】セラミックファイバーの形状、繊維径、密度および熱膨張係数を制御することによって、密着した高温熱輻射塗料の塗装を可能にした。セラミックファイバー断熱材の表面熱輻射率が０．９以上にすることができた。【選択図】図１
2014073950.tif 000002
【特許請求の範囲】
【請求項１】
吹き付けるなどの方法でセラミックファイバー表面に熱輻射塗料を塗装することを特徴とする塗装方法。
【請求項２】
前記のセラミックファイバーが、主としてＡｌ２Ｏ３，ＳｉＯ２、ＺｒＯ２，ＴｉＯ２のうちに少なくとも一種類からなることを特徴とする塗装方法である。
【請求項３】
前記請求項１の熱輻射塗料はＣｒ２Ｏ３ベース、還元ＴｉＯｘベース、（ＦｅＭｎ）２Ｏ３ベースおよびＳｉＣベースのうちの少なくとも一種類からなることを特徴とする塗装方法である。
【請求項４】
前記請求項１のセラミックファイバー以外に次のＭｇＯ，Ｆｅ２Ｏ３，ＢｅＯ，ＭｏＯ，ＮｉＯ，Ｃｒ２Ｏ３，ＺｎＯ，ＳｉＣ，ＳｉＮ，ＡｌＮ，ＬａＢ６のうちの少なくとも一種類からなることを特徴とする塗装方法である。
【請求項５】
前記請求項１のセラミックファイバーの平均繊維径が３ミクロンメータ（μｍ）以上のものからなる特徴とするものである。
【請求項６】
前記請求項１のセラミックファイバーの密度は０．３ｇ／ｃｍ３以上であることを特徴とするものである。
【請求項７】
前記請求項１のセラミックファイバーの線熱膨張係数（１０００℃以上２４時間）は１％以下であることを特徴とするものである。
【請求項８】
前記セラミックファイバーの形状は繊維状で、無定形状ではなく、ボード状などが硬度が高く、安定した表面が望ましいことを特徴とするものである。
【請求項９】
セラミックファイバーにアルミナファイバーの成分が６０％以上であることを特徴とするものである。
【請求項１０】
高熱輻射材の塗装したセラミックファイバーを加熱炉の内表面側に敷き、炉壁との間に、普通の密度０．３ｇ／ｃｍ３以下の断熱セラミックファイバー積層構造からなることを特徴とするものである。
【発明の詳細な説明】
【技術分野】
【０００１】  この発明は、セラミックファイバー断熱材表面に高温輻射塗料の塗装によりセラミックファイバーの表面輻射率を向上させ、高温炉内の加熱効率の向上及び省エネルギーを目的とする発明である。
【背景技術】
【０００２】  従来は工業炉壁の断熱材料として、セラミックファイバーを使っている。図１はその概念図です。その理由はセラミックファイバーの熱伝導率が小さいことなどが挙げられる。しかし、セラミックファイバーの表面色は白色であり、表面熱輻射率は０．４−０．６である。高温炉の熱効率は８０％以上炉内壁面からの輻射伝熱によって占められるため、セラミックファイバーの表面では輻射率において不利である。しかし、セラミックファイバーは柔らかいため、直接にセラミックファイバー表面に高い熱輻射率塗料を塗装しても、熱サイクルに耐えず、剥離してしまう。セラミックファイバー表面に塗装をしていないのは現状である。これはセラミックファイバーの膨張係数と塗料の膨張係数の違い、剥離につながるからである。セラミックファイバー表面に高い熱輻射率（０．９以上）を有する塗料の塗装方法が望まれている。偶にセラミックファイバー表面にＳＵＳ鋼板でカバーをして、その鋼板の表面にセラミック塗装をすることはある。
【先行技術文献】
【特許文献】
【０００３】
【特許文献１】特許公開２００８−２２１２７６
【発明の概要】
【発明が解決しようとする課題】
【０００４】  しかし、前記ＳＵＳ鋼板は無駄に熱を吸収し、熱伝導によって熱損失が起きる、全体の熱効率が悪い。本発明は熱輻射率低いセラミックファイバー表面に直接に高温放射率材料を塗装することを可能にした。セラミックファイバーの断熱機能のみではなく、高温加熱時、重要になる熱輻射率を向上する機能を追加した。本発明はそのセラッミクファイバーに高熱放射塗料の密着した塗装方法を提供する目的とするものである。
【課題を解決するための手段】
【０００５】  上記問題点を解決するため、本発明が採った手段は、セラミックファイバーの形状、繊維径、密度、および塗料との熱膨張係数の差を制御することを特徴とする方法である。
【発明の効果】
【０００６】  セラミックファイバーの形状、成分、繊維径、密度および熱膨張率を制御し、実用に耐えられる密着した熱輻射材を塗装するができた、元の表面熱輻射率０．６６から０．９以上にすることができた。
【図面の簡単な説明】
【０００７】
【図１】この発明の応用環境の例の一つである
【図２】この発明の一実施形態を示す斜視図である
【図３】高温輻射塗料で塗装したセラミックファイバーの熱疲労実験の温度時間図である。
【図４】熱疲労実験後の表面形状図である。
【図５】テープ剥がす密着性実験結果である。
【発明を実施するための形態】
【０００８】  この発明の一実施形態を、図２に示す。白いセラミックファイバーの表面に黒のＣｒ２Ｏ３ベースの熱輻射塗料を塗装している。比較の為、異なるセラミックファイバーに同じ膜厚の高温輻射塗料を塗装した。同じ炉に入れて、図３に示すように室温から１２５０℃まで加熱し、１０分を保持する。その後、７５０℃に降温した。１２５０℃と７５０℃の間、１５回を昇温、降温する。炉を室温まで冷却し、セラミックファイバーの表面状態を観察した。
「実施形態の効果」
【０００９】  この実施形態によれば、図４−１に示すようにサンプルＡ（平均繊維径５−７μｍ、線熱収縮率：０．８％（１５００℃２４時間）、密度：０．３ｇ／ｃｍ３）のセラミックファイバーボード表面に大きな亀裂がなくて、しっかり密着していることがわかった。逆に図４−２に示すようにサンプルＢ（平均繊維径３μｍ以下、線熱収縮率：２．８％（１２００℃２４時間）、密度：０．２５ｇ／ｃｍ３）のセラミックファイバーボード表面に大きな亀裂があり、一部が剥離してしまった。
まだ同じ試料を４ｃｍ＊４ｃｍの四角の塗装層を切出して、市販布スコッチテープで塗料を剥がしたところ、図５−１，５−２に示すようにサンプルＡが周辺以外、中央部が殆ど残っているのに対して、サンプルｂは全部が剥がれてしまった。密着性の違いが明らかである。
【産業上の利用可能性】
【００１０】  産業上の利用は次の３種類の分野が可能である。１．石油精製、石油化学関係：加熱炉、分解炉、改質炉、その他の炉；２．鉄鋼、金属、非鉄金属  電気、自動車関係：熱処理炉、加熱炉、その他の炉；３．窯業関係。
【図１】
2014073950.tif 000003
【図２】
2014073950.tif 000004
【図３】
2014073950.tif 000005
【図４】
2014073950.tif 000006
【図５】
2014073950.tif 000007
(57)【要約】【課題】  本発明は、ナンプレパズルの問題を解くための、ナンプレ用１〜９スタンプ及び解読方法を提供する。【解決手段】  ナンプレパズルの問題を解く際に使用するスタンプとして、１つのマスの中に１〜９の数字が入っているナンプレ用１〜９スタンプ、及びナンプレパズルの解読方法。【選択図】図４
2014073337.tif 000002
【特許請求の範囲】
【請求項１】
ナンプレパズルの問題を解く際に使用するスタンプとして、１つのマスの中に１〜９の数字が入っているナンプレ用１〜９スタンプ、及びナンプレパズルの解読方法。
【発明の詳細な説明】
【技術分野】
【０００１】  本発明は、ナンプレパズルの問題を解くための、ナンプレ用１〜９スタンプ、及びナンプレパズルの解読方法に関するものである。
【背景技術】
【０００２】  従来は、解読ボードを利用してナンプレパズルを解読する方法があった。
【先行技術文献】
【特許文献】
【０００３】
【特許文献１】  登録実用新案３１５５４１１号公報
【特許文献２】  登録実用新案３１４３５９６号公報
【特許文献３】  登録実用新案３１４２３２５号公報
【発明の概要】
【発明が解決しようとする課題】
【０００４】  解決しようとする問題点は、難易度が高度なナンプレパズル問題の場合、答えの候補を書いたり消したりして、何度も考え直さなければならないことである。
【課題を解決するための手段】
【０００５】  ナンプレパズルの問題を解く際に使用するスタンプとして、１つのマスの中に１〜９の数字が入っているナンプレ用１〜９スタンプ、及びナンプレパズルの解読方法である。
【発明の効果】
【０００６】  ナンプレ用１〜９スタンプは、ナンプレパズル問題が掲載されている雑誌に直接１〜９の数字をスタンプすることができる。
これによって、消去法を利用して解くことができるため、何度も書き直すことなく解答を導き出すことができるようになった。
【図面の簡単な説明】
【０００７】
【図１】  本発明のスタンプで押せる文字と、スタンプの説明図である。
【図２】  本発明のナンプレパズル問題の説明図である。
【図３】  本発明のナンプレパズルの問題用紙にスタンプを押した説明図である。
【図４】  本発明のスタンプを押したナンプレパズルの問題用紙に、不要な数字を消し答えを導き出す方法を示した説明図である。
【発明を実施するための形態】
【０００８】  以下、本発明の実施の形態を説明する。
ナンプレパズルの問題を解く際に使用するスタンプとして、１つのマスの中に１〜９の数字が入っているナンプレ用１〜９スタンプ、及びナンプレパズルの解読方法。
本発明は、ナンプレパズル問題が掲載されている雑誌に直接１〜９の数字をスタンプすることができる。
これによって、消去法を利用して解けるため、何度も書き直すことなく解答を導き出すことができるようになった。
図１は、ナンプレ用１〜９スタンプ（１）で押せる文字の配列（２）を表している。
１〜９の文字がナンプレパズル問題の１マスで、通常は、約９ミリメートル×９ミリメートルに入る大きさである。
インキを染み込ませたスタンプを使用すると、さらに便利である。
図２は、ナンプレパズルの問題例である。
基本ルールは、縦の各９列に１〜９の数字が入る。
横の各９列に１〜９の数字が入る。
太線で囲まれた３×３の各ブロック（３）に１〜９の数字が入る。
の３つであり、空欄の数字を全部埋める。
図３は、ナンプレパズル問題の空欄の全てに「ナンプレ用１〜９スタンプ」を押した図である。
図４は、不要な数字、たとえば、縦・横・太線内で使用済みな数字を水性太ペン等で全て消して行き、１つのマスの中に１つしか数字が残っていなければ、そのマスの数字が決定する。
この作業を繰り返して行うことで、解答が導き出される。
【符号の説明】
【０００９】  １  ナンプレ用１〜９スタンプ
２  スタンプで押せる文字の配列
３  太線で囲まれた３×３のブロック
４  決定した数字
【図１】
2014073337.tif 000003
【図２】
2014073337.tif 000004
【図３】
2014073337.tif 000005
【図４】
2014073337.tif 000006
(57)【要約】【課題】  手や足の指先、指間凹部などの怪我やひび割れを保護するに当たって、従来の手当の方法では患部の狭隘に適応せず、過大な包帯形状になったり、患部から脱落したりして保護の効果が得られにくかった。  指先や指間凹部の小曲面に適合し、かつ患部の保護を確保して過大保護や脱落を防止するスリット付き絆創膏を提供する。【解決手段】  片面に粘着剤を塗布した所要の形状をした粘着シート（１）に複数のスリット（２）を設けたことを特徴とする。【選択図】図１
2014073338.tif 000002
【特許請求の範囲】
【請求項１】
片面に粘着剤を塗布した適宜の形状をした粘着シート（１）に複数のスリット（２）を設け、粘着面にマット（３）を設けたことを特徴とする絆創膏。
【発明の詳細な説明】
【技術分野】
【０００１】  この発明は手、足の指の怪我やひび割れを保護するための絆創膏に関するものである。
【背景技術】
【０００２】  従来、手や足の指の怪我やひび割れを保護するために患部を清浄にした後、薬を塗布し油紙やガーゼを当て包帯を巻いたり、簡単には絆創膏を巻き付けたりの処置をするが、いずれも患部に対して固定することが難しく、特に包帯による保護は大げさになりやすい欠点があり、それでいてすぐに患部から離脱し保護の効果が得られにくかった。
さらに指間の凹部などは特に手当の難しい部位であり、これに適切かつ簡単に保護をする手段が得られなかった。
【先行技術文献】
【特許文献】
【０００３】
【特許文献】  特開２００６−１６０４０９号公報
【特許文献】  特開２００５−９５４７７号公報
【特許文献】  特開平９−１２２１７３号公報
【発明の概要】
【発明が解決しようとする課題】
【０００４】  手や足の指先、指間凹部の怪我やひび割れを保護するための絆創膏は指先や指間凹部の小さな２次曲面に適切に対応し、しかもしっかりと患部を保護し、絆創膏内のマットが患部から移動したり離脱するようなことがあってはならない。
本発明は、この問題点を解決するためになされたものである。
【課題を解決するための手段】
【０００５】  片面に粘着剤を塗布した所要の粘着シート（１）に複数のスリット（２）を設け、粘着面にマット（３）を設けたものである。
本発明は以上の構成よりなるスリット付き絆創膏である。
【発明の効果】
【０００６】  本発明のスリット付き絆創膏のマット（３）を手や足の患部に正しく当て、スリット（２）によって分かれている粘着シート（１）の各辺を指の形に沿って曲げ指に密着し、かつ巻き付ける。
指間凹部の場合は粘着シートの各辺の一部は手のひらに密着させる。
このような処置によって細い指や短い指、指間凹部などの傷やひび割れをしっかりと保護することができる。
【図面の簡単な説明】
【０００７】
【図１】  本発明の平面図である。
【図２】  本発明の側面図である。
【図３】  本発明の使用実施例である。
【発明を実施するための形態】
【０００８】  以下、本発明を実施の形態について説明する。
片面に粘着剤を塗布し複数のスリット（２）を設けた粘着シート（１）の粘着面にマット（３）を設ける。
このスリット付き絆創膏によって、小曲面の手や足の指先、あるいは指間凹部の怪我やひび割れをしっかりと保護し、スリット（２）によって分離された粘着シート（１）の各辺は指先や手のひらに密着し、マット（３）の移動や離脱を防ぐことができるのである。
【符号の説明】
【０００９】  １  粘着シート
２  スリット
３  マット
【図１】
2014073338.tif 000003
【図２】
2014073338.tif 000004
【図３】
2014073338.tif 000005
(57)【要約】【課題】従来は、掃除機を使用したとき、強力なモ−タ−を使用してその吸引力で床からゴミ等を吸い上げるために掃除機の使用する電気料は多く、強力なモ−タ−の為使用時の音は大きかったので使用時間帯を考えることがあった。【解決手段】これまでの掃除機の吸い取り器に回転ブラシで床からゴミ等巻き込む作業以外に、吸い取り器内に新たに帯電器を床に対して平行に取り付けその帯電器を始動させることで、帯電器により静電誘導を起こさせて床にあるゴミ等に静電気力を発生させ、ゴミ等を浮き上がらせることで小さなモ−タ−でも綺麗にゴミ等を吸い取ることが出来、使用電力を押さえ又消音で掃除機を使用することが出来る。【選択図】図１
2014073340.tif 000002
【特許請求の範囲】
【請求項１】
掃除機を使って掃除をするとき、床や畳又絨毯等で綺麗にゴミ等を取り除くには、強力なモ−タ−を使用するために掃除機が使用する電気料は多く又モ−タ−が強力なためモ−タ−等の音も大きかったので、掃除機を使っても使用する電気料も少なくなくモ−タ−等の音も小さく出来るようにと、掃除機の先の吸い取り器内に新たに帯電器を床に対して平行になるように組み込むことで、帯電器により静電誘導を起こさせて床の畳やフロア−、又、絨毯等にあるゴミ等に静電気力を発生させることでゴミ等を床の畳やフロア−、又、絨毯等から浮き上がらせることで、小さな力のモ−タ−でも綺麗にゴミ等を吸い上げることが出来そのことで掃除機の使用電気料も少なく、消音のエコ型掃除機として使用することが出来る掃除機。
【発明の詳細な説明】
【技術分野】
【０００１】この発明は、今までの掃除機では吸引力を高めるため大きな力のモ−タ−を必要としてゴミ等を吸い上げていたが、吸い取り機内に帯電器を新たに組み込む事で帯電器による静電誘導を起こさせて静電気力でゴミ等を浮き上がらせることで、浮き上がったゴミ等を小さな力のモ−タ−で吸い取ることが出来るようになるエコ型掃除機。
【背景技術】
【０００２】現在、掃除機を使用するには、吸引力を高めることで床等に付着しているゴミ等を吸い取る強力なモ−タ−を使っていたが、小さな力のモ−タ−でも綺麗にゴミ等を吸い込む消音の掃除機が望まれていた。
【発明の概要】
【発明が解決しようとする課題】
【０００３】これまでは、次のような欠点があった。
これまでの掃除機を使用したとき、強力な吸引力のモ−タ−で床からゴミ等を吸い上げていたので、使用時の音も大きく電気の使用量も多かったため、吸引力が小さくても綺麗に吸い上げ音も小さく電気の使用量も少ない掃除機ができないものかとかんがえられたものである。
【課題を解決する為の手段】
【０００４】これまでの掃除機の吸い取り器に回転ブラシで床からゴミ等を巻き上げる以外に吸い取り器に帯電器を新たに組み込むことで、帯電器による静電誘導を起こさせて静電気力で床にあるゴミ等を浮き上がらせることで、小さなモ−タ−でも静かに綺麗にゴミ等を吸い上げ掃除する事が出来るようにと、吸い取り器に帯電器を組み込んだ掃除機。
【発明の効果】
【０００５】掃除機の吸い取り器に床に対して平行に帯電器を組み込むことで、床のゴミ等に対して静電誘導を起こし床のゴミ等に静電気力お越させゴミ等を浮き上がらせることで、小さな力のモ−タ−でもゴミ等を綺麗に吸い取ることが出来るエコな掃除機として提供することが出来る。
【図面の簡単な説明】
【０００６】
【図１】掃除機の図面
【図２】吸い取り器の側面図
【図３】吸い取り器の平面図
【発明を実施する為の形態】
【０００７】以上、本願発明の実施の形態について説明する。
掃除機を使って掃除をするとき、床にあるゴミ等を綺麗に取り除くために強力な力のモ−タ−を使用していたので、電気の使用量も多くモ−タ−等の音も大きかったが掃除機の先にある吸い取り器に新たに帯電器を床に対して平行に組み込み、組み込まれた帯電器によって静電誘導を起こさせて床にあるゴミ等に静電気力を発生させることで、ゴミ等を床から浮き上がらせることができ小さなモ−タ−でも綺麗に床のゴミ等を吸い上げ使用することが出来る。
【符号の説明】
【０００８】▲１▼吸い取り器
▲２▼延長ホ−ス
▲３▼スイッチ
▲４▼自在ホ−ス
▲５▼ゴミ袋
▲６▼フィルタ−
▲７▼ファン
▲８▼モ−タ−
▲９▼排気口
▲１０▼電源プラグ
▲１１▼ロ−ラ
▲１２▼帯電器
▲１３▼回転ブラシ
▲１４▼プラグ
▲１５▼回転ブラシと帯電器のスイッチ
【図１】
2014073340.tif 000003
【図２】
2014073340.tif 000004
【図３】
2014073340.tif 000005
(57)【要約】 【課題】  踵の位置を安定させ、踵の関節を保護し、骨格と筋肉の理想的なバランスを維持することのできる踵の安定手段を提供する。  【解決手段】    靴の中敷き本体と、該中敷き本体上に設けた複数の凸点とによってなり、かつ該複数の凸点が、踵の中敷き本体に接する楕円形の部分の外周縁に沿って設けられる。【選択図】   図１
2014073381.tif 000002
【特許請求の範囲】
【請求項１】
靴の中敷き本体と、該中敷き本体上に設けた複数の凸点とによってなり、かつ該複数の凸点が、踵の中敷き本体に接する楕円形の部分の外周縁に沿って設けられることを特徴とする踵の安定手段。
【請求項２】
前記凸点が、前記中敷き本体から突出して設けられ、その上面の形状が円形か、もしくはその他形状であることを特徴とする請求項１に記載の踵の安定手段。
【請求項３】
前記複数の凸点が、靴の底面に設けられ、かつ該複数の凸点が、踵の靴底面に接する楕円形の部分の外周縁に沿って設けられることを特徴とする請求項１に記載の踵安定手段。
【請求項４】
前記凸点が、前記中敷き本体から突出して設けられ、その上面の形状が円形か、もしくはその他形状であることを特徴とする請求項４に記載の踵の安定手段。
【発明の詳細な説明】
【技術分野】
【０００１】
この発明は靴の中敷き、もしくは靴の底の構造に関し、特に踵の位置を安定させる踵の安定手段に関する。
【背景技術】
【０００２】
経済の発展にともない、いわゆる文明病も多々発生した、そのうち慢性の疼痛は、もっとも多くみられる症状の一つである。慢性の疼痛を引き起こす主な原因は、骨格と筋肉のバランスが失われることにある。人類は四足で這うことから始まり、数百万年の進化を経て直立歩行を習得した。直立し、歩行するためには、身体のバランスを維持しなければならならず、そのために代替の補償の作用を生じさせなければならない。よって、様々な不良の姿勢が、各種疼痛を引き起こす。係る知見に基づき、身体の関節、筋肉がバランスの取れた姿勢を維持するためにはどうすればよいか、医学界の専門家、もしくは科学者は研究を重ねてきた。
【０００３】
上述する情状に鑑み、これまで種々の靴の中敷きなどは考案されてきた。例えば、図３に開示する従来の靴の中敷き９０は、踵に接する部分の左右、及び後方に壁面を一体に形成し、踵を包むように設計してある。係る中敷きを靴に装着した場合、人体の踵はバランスの取れたものではないので、使用中に踵が中敷きの一方の側に寄りやすい。このためＰＯＳＴ接触の原因を構成し、容易に違和感を与える。即ち、かかる構造は、踵の位置が偏ることがなく、踵の関節を十分に安定させているとは言えない。よって、骨格と筋肉の理想的なバランスを維持するための改善が望まれている。
【発明の概要】
【発明が解決しようとする課題】
【０００４】
この発明は、踵の位置を安定させ、踵の関節を保護し、骨格と筋肉の理想的なバランスを維持することのできる踵の安定手段を提供することを課題とする。
【課題を解決するための手段】
【０００５】
そこで、本発明者は、従来の技術に見られる欠点に鑑み鋭意研究を重ねた結果、靴の中敷き本体と、該中敷き本体上に設けた複数の凸点とによってなり、かつ該複数の凸点が、踵の中敷き本体に接する楕円形の部分の外周縁に沿って設けられる構造によって課題を解決できる点に着眼し、係る知見に基づいて本発明を完成させた。以下、この発明について具体的に説明する。
【０００６】
請求項１に記載する踵の安定手段は、靴の中敷き本体と、該中敷き本体上に設けた複数の凸点とによってなり、かつ該複数の凸点が、踵の中敷き本体に接する楕円形の部分の外周縁に沿って設けられる。
【０００７】
請求項２に記載する踵の安定手段は、請求項１における複数の凸点が、前記中敷き本体から突出して設けられ、その上面の形状が円形か、もしくはその他形状である。
【０００８】
請求項３に記載する踵の安定手段は、請求項１における複数の凸点が靴の底面に設けられ、かつ該複数の凸点が、踵の靴底面に接する楕円形の部分の外周縁に沿って設けられる。
【０００９】
請求項４に記載する踵の安定手段は、請求項３における複数の凸点が、前記中敷き本体から突出して設けられ、その上面の形状が円形か、もしくはその他形状である。
【図面の簡単な説明】
【００１０】
【図１】この発明による靴の中敷きを示した斜視図である。
【図２】他の実施の形態を示した説明図である。
【図３】従来の靴の中敷きを示した斜視図である。
【発明を実施するための形態】
【００１１】
この発明には、踵の位置を安定させ、踵の関節を保護し、骨格と筋肉の理想的なバランスを維持することのできる踵の安定手段を提供するものであって、靴の中敷き本体と、該中敷き本体上に設けた複数の凸点とによってなり、かつ該複数の凸点が、踵の中敷き本体に接する楕円形の部分の外周縁に沿って設けられる。係る踵の安定手段の構造と特徴を説明するために、具体的な実施例を挙げ、図面を参照にして以下に詳述する。
【実施例１】
【００１２】
図１に開示するように、この発明による踵の安定手段は、中敷き本体１０と、中敷き本体１０上に設けた複数の凸点１１、１２、１３とによってなる。実施例においては凸点１１、１２、１３と３つ設けているが、但しこの数に限定することはなく、３つ以上であってもよい。また、凸点の上面の形状は、図示する円形に限らず、中敷き本体１０から突出していれば、如何なる形状であってもよい。
【００１３】
中敷き本体１０は靴の中に敷き、一方の面が足の裏に接するものであって、主に緩衝材によってなる。複数の凸点１１、１２、１３は、踵の中敷き本体１０に接する楕円形の部分の外周縁に沿って分布させる。
【００１４】
上述する構造によれば、中敷き本体１０上の踵の位置を安定させることによって踵関節の安定した作用が得られる、このため、体の姿勢のバランスを容易に維持することができ、身体の調整能力を活性させるという目的を達成することができる。
【実施例２】
【００１５】
上述する実施例は、この発明を靴の中敷きに応用したものであるが、当然のことながら靴の足に接触する面に同様の構造を設けても、同様の効果が得られる。即ち、図２に開示するように、凸点１１ａ、１２ａ、１３ａを中敷き本体１０上ではなく、靴の底面１０ａ上に直接設ける。
【００１６】
また、凸点１１ａ、１２ａ、１３ａ上に一般の靴の中敷きを別途設けても、同様に、踵の位置を安定させることによって踵関節の安定した作用を得る、というこの発明の目的、効果を達することができる。
【符号の説明】
【００１７】
１０          中敷き本体
１０ａ        底面
１１          凸点
１１ａ        凸点
１２          凸点
１２ａ        凸点          
１３          凸点
１３ａ        凸点
９０          中敷き
【図１】
2014073381.tif 000003
【図２】
2014073381.tif 000004
【図３】
2014073381.tif 000005